(57)【要約】【課題】  機能性を向上させると共に操作性も向上させる光学機器を提供する。【解決手段】  ズーム動作を指示するズーム操作スイッチと、当該ズーム操作スイッチに与えられる押圧量に依存してズーム速度が変化する第１のズームモードと、前記ズーム操作スイッチに与えられる押圧量に依存せずに一定のズーム速度である第２のズームモードとを有する光学機器であって、前記第１のズームモードと前記第２のズームモードでのズーム速度の変更を指示する速度設定スイッチと、前記第１のズームモードと前記第２のズームモードとの切り替えを指示する切替スイッチとを有することを特徴とする光学機器を提供する。【選択図】        図３
2007065385.tif 000002
【特許請求の範囲】
【請求項１】
ズーム動作を指示するズーム操作スイッチと、当該ズーム操作スイッチに与えられる押圧量に依存してズーム速度が変化する第１のズームモードと、前記ズーム操作スイッチに与えられる押圧量に依存せずに一定のズーム速度である第２のズームモードとを有する光学機器であって、
前記第１のズームモードと前記第２のズームモードでのズーム速度の変更を指示する速度設定スイッチと、
前記第１のズームモードと前記第２のズームモードとの切り替えを指示する切替スイッチとを有することを特徴とする光学機器。
【請求項２】
ズーム動作を指示するズーム操作スイッチと、当該ズーム操作スイッチに与えられる押圧量に依存してズーム速度が変化する第１のズームモードと、前記ズーム操作スイッチに与えられる押圧量に依存せずに一定のズーム速度である第２のズームモードとを有する光学機器であって、
前記第１のズームモードと前記第２のズームモードでのズーム速度の変更を指示する速度設定スイッチと、
前記光学機器を保持するための保持部とを有し、
前記速度設定スイッチ及び前記ズーム操作スイッチは、少なくとも使用者が前記保持部から手を離さずに操作できる位置に配置されることを特徴とする光学機器。
【請求項３】
前記速度設定スイッチは、前記第１のズームモードの速度の設定を指示する第１の速度設定スイッチと、
前記第２のズームモードの速度の設定を指示する第２の速度設定スイッチとを有することを特徴とする請求項１又は２記載の光学機器。
【請求項４】
前記ズーム操作スイッチは、前記第１のズームモードと前記第２のズームモードでのズーム動作を指示する複数のズーム操作スイッチとを有することを特徴とする請求項１又は２記載の光学機器。
【請求項５】
前記光学機器は、録画開始及び一時停止を行うための録画操作スイッチを更に有し、
前記録画操作スイッチは、少なくとも使用者が前記保持部から手を離さずに操作できる位置に配置されることを特徴とする請求項１又は２記載の光学機器。
【発明の詳細な説明】
【技術分野】
【０００１】
本発明は、一般的には、光学機器に係り、特に、ズーム機能を有する光学機器に関する。本発明の光学機器は、例えば、可変速ズームモードと、固定速ズームモードとを有する光学機器に好適である。ここで、可変速ズームモードとは、ズーム操作スイッチに与えられる押圧量に依存してズーム速度が変化するズームモードである。固定速ズームモードとは、ズーム操作スイッチに与えられる押圧量に依存せずに一定のズーム速度であるズームモードである。
【背景技術】
【０００２】
近年の電子機器の高機能化及び操作性の向上に伴い、デジタルビデオカメラなどの光学機器に関しても高性能化のみならず高い操作性が要求されている。従って、従来の光学機器は、例えば、被写体に対する画角を連続的に変化させるズーム機能を有している。これにより、使用者は、所望の画角で被写体を撮影することができる。更に、近年では、光学機器は、固定速ズームモードだけでなく、可変速ズームモードを有するものも開発されている（例えば、特許文献１参照のこと）。この場合、可変速ズームモードは、ズーム速度を設定するダイヤルによってズーム速度を変化させていた。
【特許文献１】特開平０３−１３０７２号公報
【発明の開示】
【発明が解決しようとする課題】
【０００３】
しかしながら、ズーム速度の設定は、各ズームモード（固定速ズームモード及び可変速ズームモード等）の一つしか設定を行うことができなかった。つまり、固定速ズーム若しくは可変速ズームのどちらか一方のモードのみしかズーム速度の設定ができなかった。それにより、光学機器の機能性が悪かった。
【０００４】
また、光学機器は、固定されずに使用者が手に持って撮影する場合もある。そのため、これらのモードの操作部は、速度の設定を撮影最中に素早く対応できるように配置されることが好ましい。
【０００５】
そこで、本発明は、機能性を向上させると共に操作性も向上させる光学機器を提供することを例示的な目的とする。
【課題を解決するための手段】
【０００６】
本発明の一側面としての光学機器は、ズーム動作を指示するズーム操作スイッチと、当該ズーム操作スイッチに与えられる押圧量に依存してズーム速度が変化する第１のズームモードと、前記ズーム操作スイッチに与えられる押圧量に依存せずに一定のズーム速度である第２のズームモードとを有する光学機器であって、前記第１のズームモードと前記第２のズームモードでのズーム速度の変更を指示する速度設定スイッチと、前記第１のズームモードと前記第２のズームモードとの切り替えを指示する切替スイッチとを有することを特徴とする。
【０００７】
本発明の別の側面としての光学機器は、ズーム動作を指示するズーム操作スイッチと、当該ズーム操作スイッチに与えられる押圧量に依存してズーム速度が変化する第１のズームモードと、前記ズーム操作スイッチに与えられる押圧量に依存せずに一定のズーム速度である第２のズームモードとを有する光学機器であって、前記第１のズームモードと前記第２のズームモードでのズーム速度の変更を指示する速度設定スイッチと、前記光学機器を保持するための保持部とを有し、前記速度設定スイッチ及び前記ズーム操作スイッチは、少なくとも使用者が前記保持部から手を離さずに操作できる位置に配置されることを特徴とする。
【発明の効果】
【０００８】
本発明によれば、機能性を向上させると共に操作性も向上させる光学機器を提供することができる。
【発明を実施するための最良の形態】
【０００９】
以下、図１を参照して、本発明の一側面としての光学機器１００について説明する。ここで、図１は、光学機器１００の構成を示すブロック図である。
【００１０】
光学機器１００は、撮像部によって取得した映像データを記録媒体等に記録する。光学機器１００は、撮像部１０１と、信号処理回路１０２と、映像表示装置１０３と、制御部１０４、１０６及び１０７と、記録媒体駆動装置操作部１０５と、記録媒体駆動装置１０８とを有する。また、光学機器１００は、更に、記録媒体信号処理回路１０９と、記録媒体信号変換回路部１１０と、記録媒体１１１と、電源スイッチ１１２と、カメラ操作部１２０と、筐体１３０とを有する。
【００１１】
更に、光学機器１００は、可変速ズームモードと、固定速ズームモードとを有している。この場合、可変速ズームモードは、図２に示すように、使用者がズーム操作スイッチ１２１に与える押圧量によってズーム速度が変化する。そのため、可変速ズームモードは、例えば、スポーツ中継などの動的な被写体を撮影する場合に好適である。一方、固定速ズームモードは、使用者がズーム操作スイッチ１２１に与える押圧量によって依存しておらず、ズーム速度が一定である。そのため、固定速ズームモードは、例えば、静止している被写体を撮影する場合に好適である。ここで、図２は、可変速ズームモード及び固定速ズームモードのズーム速度と押圧量との関係を示すグラフである
撮像部１０１は、被写体を撮影する。撮像部１０１は、撮影した映像信号を後述する信号処理回路１０２に伝達する。そのため、撮像部１０１は、信号処理回路１０２と電気的に接続されている。また、撮像部１０１は、図示しない駆動装置によって撮像倍率を変更することができる。
【００１２】
信号処理回路１０２は、撮像部１０１からの映像信号を処理する。信号処理回路１０２は、例えば、後述する制御部１０４からの指示により、撮影又は記録されたデータに対して所定の画素補間処理や色変換処理等の現像処理やリサイズ処理を行う。尚、信号処理回路１０２は、出力されるアナログ信号をデジタル信号に変換する機能を有してもよい。
【００１３】
映像表示装置１０３は、撮影する被写体像の確認または撮影された映像の再生表示をする。つまり、映像表示装置１０３は、信号処理回路１０２又は後述する記録媒体１１１からの映像信号を表示する。そして、映像表示装置１０３は、制御部１０６によって制御され、電源供給されている。そのため、映像表示装置１０３は、信号処理回路１０２と、制御部１０６と電気的に接続されている。映像表示装置１０３は、例えば、ＬＣＤである。
【００１４】
制御部１０４は、信号処理回路１０２に指示する機能を有する。制御部１０４は、更に、後述するカメラ操作部１２０から指示された信号を読みとる。この場合、例えば、制御部１０４は、ズームモードの切り替えやズーム速度の設定の指示をカメラ操作部１２０から受け取る。そのため、制御部１０４は、信号処理回路１０２と、カメラ操作部１２０とに電気的に接続されている。制御部１０４は、例えば、マイクロコンピュータである。
【００１５】
記録媒体駆動装置操作部１０５は、使用者から伝達される信号、例えば、押圧信号を後述する制御部１０６に伝達するために使用される。そのため、記録媒体駆動装置操作部１０５は、外部に露出している。尚、記録媒体駆動装置操作部１０５は、ボタン、ダイヤル等のキーだけでなく、タッチパネル等の電子的なキーであってもよい。
【００１６】
制御部１０６は、光学機器１００全体の制御を行う。制御部１０６は、制御部１０４及び後述する制御部１０７も制御する。そのため、制御部１０６は、後述する電源スイッチ１１２と電気的に接続されており、電源スイッチ１１２がオフになると、光学機器１００全体を停止させる。制御部１０６は、例えば、マイクロコンピュータである。
【００１７】
制御部１０７は、後述する記録媒体駆動装置１０８の制御を行う。制御部１０７は、記録媒体駆動操作部１０５からの伝達信号によって記録駆動装置１０８を駆動させる。制御部１０７は、例えば、マイクロコンピュータである。
【００１８】
記録媒体駆動装置１０８は、後述する記録媒体１１１を駆動する機能を有する。記録媒体駆動装置１０８は、記録媒体１１１の読み込み若しくは書き込みのために駆動する。この場合、記録媒体１１１が取り出し可能であれば、記録媒体駆動装置１０８は、記録媒体１１１の取り出しのための駆動も行なうことができる。記録媒体駆動装置１０８は、制御部１０７からの指示によって動作する。
【００１９】
記録媒体信号処理回路１０９は、信号処理回路１０２からの映像信号を処理する。そのため、記録媒体信号１０９は、信号処理回路１０２と電気的に接続されている。
【００２０】
記録媒体信号変換回路１１０は、記録媒体信号処理回路１０９からの映像信号を後述する記録媒体１１１の保存に適した信号に変換する。そのため、記録媒体信号変換回路１１０は、記録媒体信号処理回路１０９と電気的に接続されている。
【００２１】
記録媒体１１１は、撮影された映像データを記録する機能を有する。記録媒体１１１は、フィルム、メモリーカード、磁気テープ、光ディスク若しくはハードディスク等の記録媒体であり、取り外し可能であってもよい。
【００２２】
電源スイッチ１１２は、外部からの電源の流入を制御するために使用される。そのため、電源スイッチ１１２は、外部に露出して形成されている。電源スイッチ１１２からの信号は、制御部１０６に伝達される。
【００２３】
カメラ操作部１２０は、使用者から伝達される信号に基づいて、制御部１０４にカメラ動作を指示する。そのため、カメラ操作部１２０は、外部に露出している。カメラ操作部１２０は、図３に示すように、ズーム操作スイッチ１２１と、ズーム速度設定ダイヤル１２２とを有する。ここで、図３は、光学機器１００の部分拡大図である。
【００２４】
ズーム操作スイッチ１２１は、ズーム動作を制御部１０４に指示する。この場合、ズーム操作スイッチ１２１は、使用者の押圧量によってズーム操作の指示を制御部１０４に伝達する。ズーム操作スイッチ１２１は、少なくとも使用者が、後述する筐体１３０のグリップ部１３１から手を離さずに操作できる位置に配置される。つまり、本実施例では、ズーム操作スイッチ１２１は、筐体１３０のグリップ部１３１の上部に形成される。また、ズーム操作スイッチ１２１は、セルフリターン方式が採用されている。セルフリターン方式とは、使用者が操作した指を離すと、再び元の位置に戻る方式である。ズーム操作スイッチ１２１は、操作する指が置き易いように凹形状になっており、方向Ａに可動することができる。方向Ａにツマミを可動させることで、ズーム操作スイッチ１２１は、撮影映像の画角を望遠方向又は至近方向に変化させる信号を制御部１０４に伝達している。これにより、制御部１０４は、撮像部１０１の位置を調整して距離を変更している。本実施例では、ズーム操作スイッチ１２１は、固定速ズームモードと、可変速ズームモードとの場合でも使用することができる。そして、可変速ズームモードである場合、ズーム操作スイッチ１２１が弱く押されるとズーム速度は遅くなり、強く押されるとズーム速度は速くなる。
【００２５】
尚、ズーム操作スイッチ１２１は、上述した回転型以外の操作部としては、スライド型でもよい。その場合、スライド型の操作部もセルフリターン方式にして、指を離すと可動範囲の中心に戻るようにしてもよい。
【００２６】
ズーム速度設定ダイヤル１２２は、ズーム速度の設定を制御部１０４に指示する。この場合、ズーム速度設定ダイヤル１２２は、図２に示すように、可変速ズームモード及び固定速ズームモードのズーム速度を変化させる。ズーム速度設定ダイヤル１２２は、方向Ｂに回されることによって、信号を制御部１０４へ伝達する。また、ズーム速度設定ダイヤル１２２は、少なくとも使用者が、グリップ部１３１から手を離さずに操作できる位置に配置される。つまり、本実施例では、ズーム速度設定ダイヤル１２２は、筐体１３０のグリップ部１３１の上部に形成される。この場合、ズーム速度設定ダイヤル１２２は、ズーム操作スイッチ１２１の近傍に配置されている。これにより、撮影最中にズーム速度の設定が必要になった場合でも光学機器１００を保持したままズーム速度を調整することができる。
【００２７】
ズーム速度設定ダイヤル１２２は、固定速ズームモードと、可変速ズームモードとの場合でも使用することができる。それにより、撮影状況にあわせて固定速ズームモードと、可変速ズームモードとの速度を設定できるので、機能性が向上する。
【００２８】
ズーム速度設定ダイヤル１２２は、上述した回転型以外の操作部としては、スライド型でもよい。また、タクトスイッチを使用して押した回数で選択する方法も可能である。
【００２９】
尚、固定速ズームモードと、可変速ズームモードとの切替は、図示しない切替スイッチや、映像表示装置１０３に表示されるメニュー画面などによって切り替えることが可能である。
【００３０】
筐体１３０は、光学機器１００の内部の構成部材を保護する機能を有する。また、筐体１３０は、グリップ部１３１と、バンド１３２とを有する。
【００３１】
グリップ部１３１は、光学機器１００を保持するために形成されている。また、グリップ部１３１は、上部にズーム操作スイッチ１２１と、ズーム速度設定ダイヤル１２２とが形成されている。この場合、使用者の指がグリップ部１３１の上部にくるため、ズーム操作スイッチ１２１とズーム速度設定ダイヤル１２２とを操作しやすい。
【００３２】
バンド１３２は、使用者が光学機器１００を保持する状態をサポートする。バンド１３２は、長さが調整可能になっている。また、使用者の手に当たる部分には緩衝部材１３２ａが配置される。
【００３３】
光学機器１００の動作としては、使用者が、カメラ操作部１２０によってズーム速度及びズームモードを選択し、録画ボタンを押すことにより、撮像部１０１を介して制御部１０６に信号を伝達し、被写体が撮影される。撮影された被写体像の映像データが記録媒体１１１に記録される。記録されたデータは、映像表示装置１０３に表示される。
【００３４】
以下、図４を参照して、別の実施例としての光学機器１００Ａについて説明する。ここで、図４は、光学機器１００Ａの部分拡大図である。
【００３５】
光学機器１００Ａは、光学機器１００と、カメラ操作部１２０のみ異なる。従って、カメラ操作部１２０の別の実施例であるカメラ操作部１２０Ａについてのみ説明する。
【００３６】
カメラ操作部１２０Ａは、使用者から伝達される信号に基づいて、制御部１０４にカメラ動作を指示する。そのため、カメラ操作部１２０Ａは、外部に露出している。カメラ操作部１２０Ａは、図４に示すように、ズーム操作スイッチ１２１Ａと、ズーム速度設定ダイヤル１２２Ａと、切替スイッチ１２３とを有する。
【００３７】
ズーム操作スイッチ１２１Ａは、ズーム動作を制御部１０４に指示する。この場合、ズーム操作スイッチ１２１Ａは、使用者の押圧量によってズーム操作の指示を制御部１０４に伝達する。ズーム操作スイッチ１２１Ａは、少なくとも使用者がグリップ部１３１から手を離さずに操作できる位置に配置される。つまり、本実施例では、ズーム操作スイッチ１２１は、筐体１３０のグリップ部１３１の上部に形成される。また、ズーム操作スイッチ１２１Ａは、セルフリターン方式が採用されている。ズーム操作スイッチ１２１Ａは、操作する指が置き易いように凹形状になっており、方向Ａに可動することができる。方向Ａにツマミを可動させることで、ズーム操作スイッチ１２１Ａは、撮影映像の画角を望遠方向又は至近方向に変化させる信号を制御部１０４に伝達している。これにより、制御部１０４は、撮像部１０１の位置を調整して距離を変更している。本実施例では、ズーム操作スイッチ１２１Ａは、固定速ズームモードと、可変速ズームモードとの場合でも使用することができる。そして、可変速ズームモードである場合、ズーム操作スイッチ１２１Ａが弱く押されるとズーム速度は遅くなり、強く押されるとズーム速度は速くなる。
【００３８】
尚、ズーム操作スイッチ１２１Ａは、上述した回転型以外の操作部としては、スライド型でもよい。その場合、スライド型の操作部もセルフリターン方式にして、指を離すと可動範囲の中心に戻るようにしてもよい。
【００３９】
ズーム速度設定ダイヤル１２２Ａは、ズーム速度の設定を制御部１０４に指示する。ズーム速度設定ダイヤル１２２Ａは、方向Ｂに回されることによって、信号を制御部１０４へ伝達する。また、ズーム速度設定ダイヤル１２２Ａは、少なくとも使用者がグリップ部１３１から手を離さずに操作できる位置に配置される。つまり、本実施例では、ズーム速度設定ダイヤル１２２Ａは、筐体１３０のグリップ部１３１の上部に形成される。この場合、ズーム速度設定ダイヤル１２２Ａは、ズーム操作スイッチ１２１Ａの近傍に配置されている。これにより、撮影最中にズーム速度の設定が必要になった場合でも光学機器１００Ａを保持したままズーム速度を調整することができる。
【００４０】
ズーム速度設定ダイヤル１２２Ａは、固定速ズームモードと、可変速ズームモードとの場合でも使用することができる。それにより、撮影状況にあわせて固定速ズームモードと、可変速ズームモードとの速度を設定できるので、機能性が向上する。
【００４１】
ズーム速度設定ダイヤル１２２Ａは、上述した回転型以外の操作部としては、スライド型でもよい。また、タクトスイッチを使用して押した回数で選択する方法も可能である。
【００４２】
切替スイッチ１２３は、固定速ズームモードと可変速ズームモードとの切替を指示する。切替スイッチ１２３は、図示しない軸を中心に方向Ｃに回されることによって、信号を制御部１０４へ伝達する。この場合、切替スイッチ１２３は、現在のモードを示す信号を制御部１０４へ伝達する。また、切替スイッチ１２３は、少なくとも使用者がグリップ部１３１から手を離さずに操作できる位置に配置される。つまり、本実施例では、切替スイッチ１２３は、筐体１３０のグリップ部１３１の側面に形成される。この場合、切替スイッチ１２３は、ズーム速度設定ダイヤル１２２Ａの近傍に配置されている。これにより、撮影最中にズーム速度の設定が必要になった場合でも光学機器１００Ａを保持したままズームモードを変更することができる。
【００４３】
切替スイッチ１２３は、上述した回転型以外の操作部としては、スライド型でもよい。また、タクトスイッチを使用して押した回数で選択する方法も可能である。
【００４４】
以下、図５を参照して、別の実施例としての光学機器１００Ｂについて説明する。ここで、図５は、光学機器１００Ｂの部分拡大図である。
【００４５】
光学機器１００Ｂは、光学機器１００と、カメラ操作部１２０のみ異なる。従って、カメラ操作部１２０の別の実施例であるカメラ操作部１２０Ｂについてのみ説明する。
【００４６】
カメラ操作部１２０Ｂは、使用者から伝達される信号に基づいて、制御部１０４にカメラ動作を指示する。そのため、カメラ操作部１２０Ｂは、外部に露出している。カメラ操作部１２０Ｂは、図５に示すように、ズーム操作スイッチ１２１Ｂと、第１のズーム速度設定ダイヤル１２２Ｂと、第２のズーム速度設定ダイヤル１２４とを有する。
【００４７】
ズーム操作スイッチ１２１Ｂは、ズーム動作を制御部１０４に指示する。この場合、ズーム操作スイッチ１２１Ｂは、使用者の押圧量によってズーム操作の指示を制御部１０４に伝達する。ズーム操作スイッチ１２１Ｂは、少なくとも使用者がグリップ部１３１から手を離さずに操作できる位置に配置される。つまり、本実施例では、ズーム操作スイッチ１２１Ｂは、筐体１３０のグリップ部１３１の上部に形成される。また、ズーム操作スイッチ１２１Ｂは、セルフリターン方式が採用されている。ズーム操作スイッチ１２１Ｂは、操作する指が置き易いように凹形状になっており、方向Ａに可動することができる。方向Ａにツマミを可動させることで、ズーム操作スイッチ１２１Ｂは、撮影映像の画角を望遠方向又は至近方向に変化させる信号を制御部１０４に伝達している。これにより、制御部１０４は、撮像部１０１の位置を調整して距離を変更している。本実施例では、ズーム操作スイッチ１２１Ｂは、固定速ズームモードと、可変速ズームモードとの場合でも使用することができる。そして、可変速ズームモードである場合、ズーム操作スイッチ１２１Ｂが弱く押されるとズーム速度は遅くなり、強く押されるとズーム速度は速くなる。
【００４８】
尚、ズーム操作スイッチ１２１Ｂは、上述した回転型以外の操作部としては、スライド型でもよい。その場合、スライド型の操作部もセルフリターン方式にして、指を離すと可動範囲の中心に戻るようにしてもよい。
【００４９】
第１のズーム速度設定ダイヤル１２２Ｂは、ズーム速度の設定を制御部１０４に指示する。第１のズーム速度設定ダイヤル１２２Ｂは、方向Ｂに回されることによって、信号を制御部１０４へ伝達する。この場合、第１のズーム速度設定ダイヤル１２２Ｂは、例えば、固定速ズームモードの速度設定に使用される。第１のズーム速度設定ダイヤル１２２Ｂは、少なくとも使用者がグリップ部１３１から手を離さずに操作できる位置に配置される。つまり、本実施例では、第１のズーム速度設定ダイヤル１２２Ｂは、筐体１３０のグリップ部１３１の上部に形成される。この場合、第１のズーム速度設定ダイヤル１２２Ｂは、ズーム操作スイッチ１２１Ｂの近傍に配置されている。これにより、撮影最中にズーム速度の設定が必要になった場合でも光学機器１００Ｂを保持したままズーム速度を調整することができる。
【００５０】
本実施例では、第１のズーム速度設定ダイヤル１２２Ｂは、固定速ズームモードで使用されているが、可変速ズームモードで使用されてもよい。
【００５１】
第１のズーム速度設定ダイヤル１２２Ｂは、上述した回転型以外の操作部としては、スライド型でもよい。また、タクトスイッチを使用して押した回数で選択する方法も可能である。
【００５２】
第２のズーム速度設定ダイヤル１２４は、ズーム速度の設定を制御部１０４に指示する。第２のズーム速度設定ダイヤル１２４は、方向Ｄに回されることによって、信号を制御部１０４へ伝達する。この場合、第２のズーム速度設定ダイヤル１２４は、例えば、可変速ズームモードの速度設定に使用される。また、第２のズーム速度設定ダイヤル１２４は、少なくとも使用者がグリップ部１３１から手を離さずに操作できる位置に配置される。つまり、本実施例では、第２のズーム速度設定ダイヤル１２４は、筐体１３０のグリップ部１３１の上部側面に形成される。この場合、第２のズーム速度設定ダイヤル１２４は、第１のズーム速度設定ダイヤル１２２Ｂの近傍に配置されている。これにより、撮影最中にズーム速度の設定が必要になった場合でも光学機器１００Ｂを保持したままズーム速度を調整することができる。
【００５３】
本実施例では、第２のズーム速度設定ダイヤル１２４は、可変速ズームモードで使用されているが、固定速ズームモードで使用されてもよい。
【００５４】
第２のズーム速度設定ダイヤル１２４は、上述した回転型以外の操作部としては、スライド型でもよい。また、タクトスイッチを使用して押した回数で選択する方法も可能である。
【００５５】
カメラ操作部１２０Ｂは、第１のズーム速度設定ダイヤル１２２Ｂと、第２のズーム速度設定ダイヤル１２４とを有してる。それにより、撮影状況にあわせて固定速ズームモードと、可変速ズームモードとの速度を設定できるので、機能性が向上する。
【００５６】
尚、固定速ズームモードと、可変速ズームモードとの切替は、図示しない切替スイッチや、映像表示装置１０３に表示されるメニュー画面などによって切り替えることが可能である。
【００５７】
以下、図６を参照して、別の実施例としての光学機器１００Ｃについて説明する。ここで、図６は、光学機器１００Ｃの部分拡大図である。
【００５８】
光学機器１００Ｃは、光学機器１００と、カメラ操作部１２０のみ異なる。従って、カメラ操作部１２０の別の実施例であるカメラ操作部１２０Ｃについてのみ説明する。
【００５９】
カメラ操作部１２０Ｃは、使用者から伝達される信号に基づいて、制御部１０４にカメラ動作を指示する。そのため、カメラ操作部１２０Ｃは、外部に露出している。カメラ操作部１２０Ｃは、図６に示すように、第１のズーム操作スイッチ１２１Ｃと、第２のズーム操作スイッチ１２５と、ズーム速度設定ダイヤル１２２Ｃと、切替スイッチ１２３Ｃとを有する。
【００６０】
第１のズーム操作スイッチ１２１Ｃは、ズーム動作を制御部１０４に指示する。この場合、第１のズーム操作スイッチ１２１Ｃは、使用者の押圧量によってズーム操作の指示を制御部１０４に伝達する。第１のズーム操作スイッチ１２１Ｃは、少なくとも使用者がグリップ部１３１から手を離さずに操作できる位置に配置される。つまり、本実施例では、第１のズーム操作スイッチ１２１Ｃは、筐体１３０のグリップ部１３１の上部に形成される。また、第１のズーム操作スイッチ１２１Ｃは、セルフリターン方式が採用されている。第１のズーム操作スイッチ１２１Ｃは、操作する指が置き易いように凹形状になっており、方向Ａに可動することができる。方向Ａにツマミを可動させることで、第１のズーム操作スイッチ１２１Ｃは、撮影映像の画角を望遠方向又は至近方向に変化させる信号を制御部１０４に伝達している。これにより、制御部１０４は、撮像部１０１の位置を調整して距離を変更している。本実施例では、第１のズーム操作スイッチ１２１Ｃは、固定速ズームモードと、可変速ズームモードとの場合でも使用することができる。そして、可変速ズームモードである場合、第１のズーム操作スイッチ１２１Ｃが弱く押されるとズーム速度は遅くなり、強く押されるとズーム速度は速くなる。
【００６１】
尚、第１のズーム操作スイッチ１２１Ｃは、上述した回転型以外の操作部としては、スライド型でもよい。その場合、スライド型の操作部もセルフリターン方式にして、指を離すと可動範囲の中心に戻るようにしてもよい。
【００６２】
第２のズーム操作スイッチ１２５は、ズーム動作を制御部１０４に指示する。この場合、ズーム操作スイッチ１２１は、使用者の押圧量によってズーム操作の指示を制御部１０４に伝達する。第２のズーム操作スイッチ１２５は、筐体１３０の第２のグリップ部１３３の上部に形成される。この場合、第２のズーム操作スイッチ１２５は、使用者がグリップ部１３３を保持する場合に使用される。第２のズーム操作スイッチ１２５は、セルフリターン方式が採用されている。第２のズーム操作スイッチ１２５は、操作する指が置き易いように凹形状になっており、方向Ｅに可動することができる。方向Ｅにツマミを可動させることで、第２のズーム操作スイッチ１２５は、撮影映像の画角を望遠方向又は至近方向に変化させる信号を制御部１０４に伝達している。これにより、制御部１０４は、撮像部１０１の位置を調整して距離を変更している。本実施例では、第２のズーム操作スイッチ１２５は、固定速ズームモードと、可変速ズームモードとの場合でも使用することができる。そして、可変速ズームモードである場合、第２のズーム操作スイッチ１２５が弱く押されるとズーム速度は遅くなり、強く押されるとズーム速度は速くなる。
【００６３】
尚、第２のズーム操作スイッチ１２５は、上述した回転型以外の操作部としては、スライド型でもよい。その場合、スライド型の操作部もセルフリターン方式にして、指を離すと可動範囲の中心に戻るようにしてもよい。また、第２のズーム操作スイッチ１２５は、第１のズーム操作スイッチ１２１Ｃの動作と連動することができる。但し、メニュー等の動作設定の変更は可能であり、連動や非連動にすることができる。
【００６４】
ズーム速度設定ダイヤル１２２Ｃは、ズーム速度の設定を制御部１０４に指示する。ズーム速度設定ダイヤル１２２Ｃは、方向Ｂに回されることによって、信号を制御部１０４へ伝達する。また、ズーム速度設定ダイヤル１２２Ｃは、少なくとも使用者がグリップ部１３１から手を離さずに操作できる位置に配置される。つまり、本実施例では、ズーム速度設定ダイヤル１２２Ｃは、筐体１３０のグリップ部１３１の上部に形成される。この場合、ズーム速度設定ダイヤル１２２Ｃは、ズーム操作スイッチ１２１Ｃの近傍に配置されている。これにより、撮影最中にズーム速度の設定が必要になった場合でも光学機器１００を保持したままズーム速度を調整することができる。
【００６５】
ズーム速度設定ダイヤル１２２Ｃは、固定速ズームモードと、可変速ズームモードとの場合でも使用することができる。それにより、撮影状況にあわせて固定速ズームモードと、可変速ズームモードとの速度を設定できるので、機能性が向上する。
【００６６】
ズーム速度設定ダイヤル１２２Ｃは、上述した回転型以外の操作部としては、スライド型でもよい。また、タクトスイッチを使用して押した回数で選択する方法も可能である。
【００６７】
切替スイッチ１２３Ｃは、固定速ズームモードと可変速ズームモードとの切替を指示する。切替スイッチ１２３Ｃは、図示しない軸を中心に方向Ｃに回されることによって、信号を制御部１０４へ伝達する。この場合、切替スイッチ１２３Ｃは、現在のモードを示す信号を制御部１０４へ伝達する。また、切替スイッチ１２３Ｃは、少なくとも使用者がグリップ部１３１から手を離さずに操作できる位置に配置される。つまり、本実施例では、切替スイッチ１２３Ｃは、筐体１３０のグリップ部１３１の側面に形成される。この場合、切替スイッチ１２３Ｃは、ズーム速度設定ダイヤル１２２Ｃの近傍に配置されている。これにより、撮影最中にズーム速度の設定が必要になった場合でも光学機器１００Ｃを保持したままズームモードを変更することができる。
【００６８】
切替スイッチ１２３Ｃは、上述した回転型以外の操作部としては、スライド型でもよい。また、タクトスイッチを使用して押した回数で選択する方法も可能である。
【００６９】
以下、図７を参照して、別の実施例としての光学機器１００Ｄについて説明する。ここで、図７は、光学機器１００Ｄの部分拡大図である。
【００７０】
光学機器１００Ｄは、光学機器１００と、カメラ操作部１２０のみ異なる。従って、カメラ操作部１２０の別の実施例であるカメラ操作部１２０Ｄについてのみ説明する。
【００７１】
カメラ操作部１２０Ｄは、使用者から伝達される信号に基づいて、制御部１０４にカメラ動作を指示する。そのため、カメラ操作部１２０Ｄは、外部に露出している。カメラ操作部１２０Ｄは、図７に示すように、ズーム操作スイッチ１２１Ｄと、ズーム速度設定ダイヤル１２２Ｄと、切替スイッチ１２３Ｃと、録画操作スイッチ１２６とを有する。
【００７２】
ズーム操作スイッチ１２１Ｄは、ズーム動作を制御部１０４に指示する。この場合、ズーム操作スイッチ１２１Ｄは、使用者の押圧量によってズーム操作の指示を制御部１０４に伝達する。ズーム操作スイッチ１２１Ｄは、少なくとも使用者がグリップ部１３１から手を離さずに操作できる位置に配置される。つまり、本実施例では、ズーム操作スイッチ１２１Ｄは、筐体１３０のグリップ部１３１の上部に形成される。また、ズーム操作スイッチ１２１Ｄは、セルフリターン方式が採用されている。ズーム操作スイッチ１２１Ｄは、操作する指が置き易いように凹形状になっており、方向Ａに可動することができる。方向Ａにツマミを可動させることで、ズーム操作スイッチ１２１Ｄは、撮影映像の画角を望遠方向又は至近方向に変化させる信号を制御部１０４に伝達している。これにより、制御部１０４は、撮像部１０１の位置を調整して距離を変更している。本実施例では、ズーム操作スイッチ１２１Ｄは、固定速ズームモードと、可変速ズームモードとの場合でも使用することができる。そして、可変速ズームモードである場合、ズーム操作スイッチ１２１Ｄが弱く押されるとズーム速度は遅くなり、強く押されるとズーム速度は速くなる。
【００７３】
尚、ズーム操作スイッチ１２１Ｄは、上述した回転型以外の操作部としては、スライド型でもよい。その場合、スライド型の操作部もセルフリターン方式にして、指を離すと可動範囲の中心に戻るようにしてもよい。
【００７４】
ズーム速度設定ダイヤル１２２Ｄは、ズーム速度の設定を制御部１０４に指示する。ズーム速度設定ダイヤル１２２Ｄは、方向Ｂに回されることによって、信号を制御部１０４へ伝達する。また、ズーム速度設定ダイヤル１２２Ｄは、少なくとも使用者がグリップ部１３１から手を離さずに操作できる位置に配置される。つまり、本実施例では、ズーム速度設定ダイヤル１２２Ｄは、筐体１３０のグリップ部１３１の上部に形成される。この場合、ズーム速度設定ダイヤル１２２Ｄは、ズーム操作スイッチ１２１Ｄの近傍に配置されている。これにより、撮影最中にズーム速度の設定が必要になった場合でも光学機器１００Ｄを保持したままズーム速度を調整することができる。
【００７５】
ズーム速度設定ダイヤル１２２Ｄは、固定速ズームモードと、可変速ズームモードとの場合でも使用することができる。それにより、撮影状況にあわせて固定速ズームモードと、可変速ズームモードとの速度を設定できるので、機能性が向上する。
【００７６】
ズーム速度設定ダイヤル１２２Ｄは、上述した回転型以外の操作部としては、スライド型でもよい。また、タクトスイッチを使用して押した回数で選択する方法も可能である。
【００７７】
切替スイッチ１２３Ｄは、固定速ズームモードと可変速ズームモードとの切替を指示する。切替スイッチ１２３Ｄは、図示しない軸を中心に方向Ｃに回されることによって、信号を制御部１０４へ伝達する。この場合、切替スイッチ１２３Ｄは、現在のモードを示す信号を制御部１０４へ伝達する。また、切替スイッチ１２３Ｄは、少なくとも使用者がグリップ部１３１から手を離さずに操作できる位置に配置される。つまり、本実施例では、切替スイッチ１２３Ｄは、筐体１３０のグリップ部１３１の側面に形成される。
この場合、切替スイッチ１２３Ｄは、ズーム速度設定ダイヤル１２２Ｄの近傍に配置されている。これにより、撮影最中にズーム速度の設定が必要になった場合でも光学機器１００Ｄを保持したままズームモードを変更することができる。
【００７８】
切替スイッチ１２３Ｄは、上述した回転型以外の操作部としては、スライド型でもよい。また、タクトスイッチを使用して押した回数で選択する方法も可能である。
【００７９】
録画操作スイッチ１２６は、録画開始及び一時停止を指示する。録画操作スイッチ１２６は、押圧されることによって、信号を制御部１０４へ伝達する。つまり、録画操作スイッチ１２６は、録画開始若しくは一時停止を示す信号を制御部１０４へ伝達する。録画操作スイッチ１２６は、少なくとも使用者がグリップ部１３１から手を離さずに操作できる位置に配置される。つまり、本実施例では、切替スイッチ１２３Ｄは、筐体１３０のグリップ部１３１の側面に形成される。この場合、録画操作スイッチ１２６は、切替スイッチ１２３Ｄの近傍に配置されている。これにより、撮影最中にズーム速度の設定が必要になった場合でも光学機器１００Ｄを保持したままを録画開始若しくは一時停止することができる。
【００８０】
以上、本発明の好ましい実施例について説明したが、本発明はこれらの実施例に限定されないことはいうまでもなく、その要旨の範囲内で種々の変形及び変更が可能である。
【図面の簡単な説明】
【００８１】
【図１】本発明の光学機器の構成を示す概略ブロック図である。
【図２】図１に示す光学機器の可変速ズームモード及び固定速ズームモードのズーム速度と押圧量との関係を示すグラフである。
【図３】図１に示す光学機器の部分拡大図である。
【図４】図１に示す光学機器の別の実施例としての光学機器を示す概略部分拡大図である。
【図５】図１に示す光学機器の別の実施例としての光学機器を示す概略部分拡大図である。
【図６】図１に示す光学機器の別の実施例としての光学機器を示す概略部分拡大図である。
【図７】図１に示す光学機器の別の実施例としての光学機器を示す概略部分拡大図である。
【符号の説明】
【００８２】
１００          光学機器
１０１          撮像部
１０２          信号処理回路
１０３          映像表示装置
１０４          制御部
１０５          記録媒体駆動装置操作部
１０６          制御部
１０７          制御部
１０８          記録媒体駆動装置
１０９          記録媒体信号処理回路
１１０          記録媒体信号変換回路
１１１          記録媒体
１１２          電源スイッチ
１２０          カメラ操作部
１２１          ズーム操作スイッチ
１２２          ズーム速度設定ダイヤル
【図２】
2007065385.tif 000003
【図４】
2007065385.tif 000004
【図１】
2007065385.tif 000005
【図３】
2007065385.tif 000006
【図５】
2007065385.tif 000007
【図６】
2007065385.tif 000008
【図７】
2007065385.tif 000009